(57)【要約】【課題】既に形成されている居室への適用が良好で、結露の際にもかび発生の少ない、改良された電磁シールド材、及びその様な電磁シールド材を用いた電磁シールド法を提供する。【解決手段】銅箔２の表面に亜鉛薄膜４が付されており、亜鉛薄膜４の表面に酸化亜鉛薄膜６が付されている電磁シールド材。この電磁シールド材を居室を覆うように敷設し、特に電磁シールド材を居室の内面を構成する部材の表面上または裏面上に敷設する。電磁シールド材を居室床面を構成する部材の表面上に敷設する場合には、その上に敷物を配置する。【選択図】　図１
2004050689.tif 000002
【特許請求の範囲】
【請求項１】
銅箔の表面に亜鉛が付されていることを特徴とする電磁シールド材。
【請求項２】
前記亜鉛は前記銅箔の表面上に薄膜状または粒状をなして形成されていることを特徴とする、請求項１に記載の電磁シールド材。
【請求項３】
前記亜鉛の表面に酸化亜鉛が付されていることを特徴とする、請求項１〜２のいずれかに記載の電磁シールド材。
【請求項４】
前記酸化亜鉛は前記亜鉛の表面上に薄膜状または粒状をなして形成されていることを特徴とする、請求項３に記載の電磁シールド材。
【請求項５】
請求項１〜４のいずれかに記載の電磁シールド材を居室を覆うように敷設することを特徴とする電磁シールド法。
【請求項６】
前記電磁シールド材を前記居室の内面を構成する部材の表面上または裏面上に敷設することを特徴とする、請求項５に記載の電磁シールド法。
【請求項７】
前記電磁シールド材を前記居室の床面を構成する部材の表面上に敷設し、その上に敷物を配置することを特徴とする、請求項６に記載の電磁シールド法。
【発明の詳細な説明】
【０００１】
【発明の属する技術分野】
本発明は、電磁シールド技術に属するものであり、特に、居住空間の電磁シールドに適する電磁シールド材及びそれを用いた電磁シールド法に関するものである。
【０００２】
【従来の技術及び発明が解決しようとする課題】
従来、各種の電気・電子機器の発する高周波等の電磁波により他の電子機器が悪影響を受けるのを防止するために、電磁波の発生源となる機器の側で電磁シールドが施される。
【０００３】
ところで、近年、携帯電話機の普及がめざましい。携帯電話機を用いた通信は電磁波（高周波）を媒介としており、携帯電話機からは必然的に電磁波が発せられる。従って、人で混みあった公共施設たとえば病院や航空機及び列車等の交通手段内で携帯電話機を利用することは、公共施設の電子機器のみならず他人の装着する心臓ペースメーカー等の電子機器を誤動作させるおそれがある。また、混みあった公共施設内での携帯電話での通話は、他人に対し不快感を与えることがある。この様な観点から、公共施設内での携帯電話機の利用を控えるのが好ましいとされている。
【０００４】
しかしながら、現実には、公共施設内での携帯電話機の利用が必ずしも十分に控えられているとはいえない。そこで、公共施設内とくに人が収容される部屋である居室（必ずしも生活のための部屋を意味するものではなく、人が一時的にせよ所在する部屋をいうものとする）全体に対して電磁シールドを施し、これに基づき携帯電話機を用いての居室内外間での通信を禁止し、かくして居室内での携帯電話機の利用が不可能であることを周知させ、これにより公共施設の居室内での携帯電話機の利用を利用者が自発的に控えるようにする試みが提案されている。
【０００５】
電磁シールドは、金属等の導電性部材からなる電磁シールド材で所要領域（所要空間）を覆うことによりなされる。電磁シールド材としては、経済性の観点から、鉄板が例示される。しかしながら、鉄板は、曲げ加工が面倒であり重量が大きいことから、その支持手段に特段の対策が必要となる等の難点があり、既に形成されている居室に対して適用するには不向きである。
【０００６】
また、特に居室内部では温度変化により熱伝導性良好な金属である鉄板からなる電磁シールド材の表面に結露を生じやすく、そこにかびが発生して環境衛生を損なうことがあるという問題点もある。
【０００７】
そこで、本発明は、以上の様な従来技術の問題点に鑑みて、既に形成されている居室への適用が良好で、結露の際にもかび発生の少ない、改良された電磁シールド材を提供することを目的とするものである。また、本発明は、その様な電磁シールド材を用いた電磁シールド法を提供することをも目的とするものである。
【０００８】
【課題を解決するための手段】
本発明によれば、以上の如き目的を達成するものとして、銅箔の表面に亜鉛が付されていることを特徴とする電磁シールド材、が提供される。本発明の一態様においては、前記亜鉛は前記銅箔の表面上に薄膜状または粒状をなして形成されている。本発明の一態様においては、前記亜鉛の表面に酸化亜鉛が付されている。本発明の一態様においては、前記酸化亜鉛は前記亜鉛の表面上に薄膜状または粒状をなして形成されている。
【０００９】
また、本発明によれば、以上の如き目的を達成するものとして、上記の電磁シールド材を居室を覆うように敷設することを特徴とする電磁シールド法、が提供される。本発明の一態様においては、前記電磁シールド材を前記居室の内面を構成する部材の表面上または裏面上に敷設する。本発明の一態様においては、前記電磁シールド材を前記居室の床面を構成する部材の表面上に敷設し、その上に敷物を配置する。
【００１０】
【発明の実施の形態】
以下、本発明の実施の形態を、図面を参照しながら説明する。
【００１１】
図１は、本発明による電磁シールド材の一実施形態を示す模式的一部切欠斜視図である。図において、銅箔２の表面（上面）には、亜鉛薄膜４が形成されている。該亜鉛薄膜４の表面には、酸化亜鉛薄膜６が形成されている。銅箔２としては、周知の製法例えば圧延により又はメッキしそれを剥離することにより製造され厚さＴ１が例えば３〜４００μｍのものが使用される。亜鉛薄膜４は、周知の方法例えばメッキまたは塗布により、銅箔２の表面上に形成することができる。亜鉛薄膜４の厚さＴ２は例えば０．０５〜２０μｍである。酸化亜鉛薄膜６は、亜鉛薄膜４を空気中に露出させ自然酸化させることで得たものを使用することができるが、もちろん亜鉛薄膜４の表面の強制酸化（熱酸化）により形成してもよいし、別途薄膜堆積法などにより堆積形成してもよい。酸化亜鉛薄膜６の厚さＴ３は、例えば０．０１〜１０μｍ程度である。
【００１２】
図２は、本発明による電磁シールド材の他の実施形態を示す模式的一部切欠斜視図である。本実施形態では、図１の実施形態と同等な構成に加えて、銅箔２の下側の表面（下面）にも亜鉛薄膜４’が形成されており、該亜鉛薄膜４’の表面に酸化亜鉛薄膜６’が形成されている。亜鉛薄膜４’及び酸化亜鉛薄膜６’は、それぞれ上記亜鉛薄膜４及び酸化亜鉛薄膜６と同等のものである。
【００１３】
以上の様な電磁シールド材１０は、所要幅（例えば２〜１５０ｃｍ）の長尺形態となし、これをロール状に巻回したものとすることができる。
【００１４】
図１及び図２では、亜鉛薄膜４，４’及び酸化亜鉛薄膜６，６’がいずれも均等な厚さを持つ膜状に描かれているが、本発明においては、亜鉛薄膜４，４’及び酸化亜鉛薄膜６，６’はそのようなものに限定されることはなく、厚さが不均一であってもよいし、全面にではなく部分的に形成されているものであってもよい。
【００１５】
また、以上の実施形態では亜鉛として亜鉛薄膜４，４’を用いているが、本発明においては、亜鉛は銅箔２の表面上に粒状をなして形成されているものであってもよい。即ち、亜鉛が形成される銅箔２の表面状態及び亜鉛付与の方法及び条件によっては、該亜鉛が完全な薄膜状とならずに粒状となる場合がある。
【００１６】
また、本実施形態では酸化亜鉛として酸化亜鉛薄膜６，６を用いているが、本発明においては、酸化亜鉛は亜鉛の表面上に粒状をなして形成されているものであってもよい。この様な粒状酸化亜鉛の付与は、例えば、分散媒中に粒状酸化亜鉛を分散させた分散液を塗布し乾燥させる方法や、溶射法や、特開平８−５９８９０号公報に記載のように被覆酸化亜鉛粉末を塗料中に添加して塗布する方法等により行なうことができる。
【００１７】
図３は、本発明による電磁シールド法の一実施形態を示す模式図である。本図は、居室内の視点から見た居室内側の様子を示すものである。居室は内壁１２、天井１４及び床１６を有する。内壁１２には窓２０が形成されている。これら内壁１２、天井１４及び床１６に、それぞれ電磁シールド材１０を敷設する。電磁シールド材１０は、長尺状をなすものを複数互いに平行に配列する。
【００１８】
図４に示されている様に、内壁１２の面を構成する部材１２ａ及び天井１４の面を構成する部材１４ａの表面に、電磁シールド材１０の下面を貼付する。この貼付は、長尺状の電磁シールド材１０を所要の形状及び寸法に切断し、適宜の接合剤たとえばエポキシ系接着剤を用いて行なうことができる。
【００１９】
図５に示されている様に、内壁１２の内面の場合と同様にして、床１６の面を構成する部材１６ａの表面に、電磁シールド材１０の下面を貼付する。電磁シールド材１０上には、敷物１８を配置する。これにより、床１６上での物品載置や人の歩行の際にも、電磁シールド材１０が損傷するのを防止することができる。
【００２０】
以上の説明では、電磁シールド材１０を、内壁１２の面を構成する部材１２ａ及び天井１４の面を構成する部材１４ａの表面（即ち室内側の面）や床１６の面を構成する部材１６ａの表面（即ち室内側の面）に貼付している。しかしながら、本発明では、電磁シールド材１０を、図６に示されている様に、内壁１２の面を構成する部材１２ａ及び天井１４の面を構成する部材１４ａの裏面（即ち室外側の面）や、図７に示されている様に、床１６の面を構成する部材１６ａの裏面（即ち室外側の面）に貼付してもよい。なお、図４〜図７において、符号１９は、居室の内壁１２、天井１４及び床１６のそれぞれの面を構成する部材を保持する梁等の構造部材を示す。
【００２１】
窓２０は、透光性を要するので、以上の様な電磁シールド材１０を使用する代わりに、透光性導電膜たとえばＩＴＯ（インジウム・スズ酸化物）膜を貼付する。
【００２２】
図３に示されている様に、居室内と居室外との所要の通信を行なうために、居室外には通信インターフェース２２が配置されている。該通信インターフェース２２には外部アンテナ２４が接続されている。居室内には通信端末機器２６が配置される。通信端末機器２６は通信インターフェース２２と光ファイバ通信線にて接続されている（音声信号等の低周波数信号のみの場合には導電線により接続してもよい）。これにより、室内側から室外側への電磁波の漏れや室外側から室内側への電磁波の侵入を防止する良好な電磁シールドが形成される。また、電磁シールド材１０は、接地されている。
【００２３】
以上の様な本発明の電磁シールド材１０では、基材が銅箔２であり、その上に亜鉛薄膜４，４’及び酸化亜鉛薄膜６，６’を形成しているので、曲げ加工が極めて容易であり、複雑な凹凸形状の居室内面にも容易に適合させることができる。従って、居室の製造の際に電磁シールド材付与のために内面形状に特別の考慮を払うような必要がない。即ち、既に存在する居室に対しても、その内面に容易に電磁シールド材敷設を行なうことができる。
【００２４】
この様にして敷設した電磁シールド材１０は、使用時に結露を生じても、表面に亜鉛例えば亜鉛薄膜４，４’（及び酸化亜鉛例えば酸化亜鉛薄膜６，６’）が形成されているので、その犠牲電極作用により、先ず亜鉛が腐食し、電磁シールド効果発揮のための主体部をなす高導電率の基材である銅箔２の腐食が防止される。従って、シールド材１０の厚さが薄い割には、その寿命は長い。
【００２５】
また、亜鉛薄膜４，４’等の亜鉛の表面には酸化亜鉛薄膜６等の酸化亜鉛が形成されており、この酸化亜鉛は抗菌・防かび・脱臭・防汚効果を有しており、更に光照射により光触媒活性を発揮する（特開平８−５９８９０号公報及び特開平１０−１３０６１９号公報参照）。このため、表面に結露を生じた場合でさえも、かびなどの微生物が増殖するのを抑制することができるので、環境衛生上好ましい。
【００２６】
【発明の効果】
以上説明したように、本発明によれば、電磁シールド材として銅箔の表面に亜鉛を形成したものを用い、その表面に酸化亜鉛が形成され、電磁シールド材を居室を覆うように居室内面構成部材の表面上に敷設するので、既に形成され存在している居室に対しても、その内面に容易に電磁シールド材敷設を行なうことができる。また、本発明の電磁シールド材は薄く軽量であり、基材として高導電率の銅箔を用いているので、シールド効果が高い。更に、使用時に結露を生じても、電磁シールド材表面に形成されている亜鉛の犠牲電極作用に基づき、電磁シールド効果発揮のための主体部をなす銅箔の腐食が防止され、シールド材の寿命は長い。また、亜鉛の表面に形成される酸化亜鉛は特に光触媒活性、抗菌・防かび等の効果を発揮するので、かびなどの微生物が増殖するのを抑制することができ、環境衛生上好ましい。
【図面の簡単な説明】
【図１】本発明による電磁シールド材の一実施形態を示す模式的一部切欠斜視図である。
【図２】本発明による電磁シールド材の他の実施形態を示す模式的一部切欠斜視図である。
【図３】本発明による電磁シールド法の一実施形態を示す模式図である。
【図４】図３の実施形態における内壁面構成部材及び天井面構成部材への電磁シールド材敷設の様子を示す模式的断面図である。
【図５】図３の実施形態における床面構成部材への電磁シールド材敷設の様子を示す模式的断面図である。
【図６】内壁面構成部材及び天井面構成部材への電磁シールド材敷設の様子を示す模式的断面図である。
【図７】床面構成部材への電磁シールド材敷設の様子を示す模式的断面図である。
【符号の説明】
２　　銅箔
４，４’　　亜鉛薄膜
６，６’　　酸化亜鉛薄膜
１０　　電磁シールド材
１２　　内壁
１２ａ　　内壁面を構成する部材
１４　　天井
１４ａ　　天井面を構成する部材
１６　　床
１６ａ　　床面を構成する部材
１８　　敷物
１９　　梁等の構造部材
２０　　窓
２２　　通信インターフェース
２４　　外部アンテナ
２６　　通信端末機器
【図１】
2004050689.tif 000003
【図２】
2004050689.tif 000004
【図３】
2004050689.tif 000005
【図４】
2004050689.tif 000006
【図５】
2004050689.tif 000007
【図６】
2004050689.tif 000008
【図７】
2004050689.tif 000009